(57)【要約】【課題】弱電界の時でもテレビジョン信号を受信中は画面をブルーバックに切り替えることなく、テレビジョン信号が完全に入力されなくなった時に画面をブルーバックに切り替えるようにする。【解決手段】入力されたテレビジョン信号を処理してビデオ信号及び音声信号を出力するチューナ部１と、テレビ画面に現れるビデオ信号又は／及びスピーカに出力される音声信号を消すミュート回路２とを備え、チューナ部１にテレビジョン信号が入力されているか否かを判別すると共に画面切替回路２の切替動作を制御する判別回路４を設け、判別回路４がテレビジョン信号の入力無しと判別したときにのみ画面切替回路２によってブルーバック信号を出力した。【選択図】　　　　図１
0003098063.tif 000002
【実用新案登録請求の範囲】
【請求項１】
入力されたテレビジョン信号を処理してビデオ信号及び音声信号を出力するチューナ部と、テレビ画面に現れる前記ビデオ信号又は／及びスピーカに出力される前記音声信号を消すミュート回路とを備え、前記チューナ部に前記テレビジョン信号が入力されているか否かを判別すると共に前記ミュート回路のミュート動作を制御する判別回路を設け、前記判別回路が前記テレビジョン信号の入力無しと判別したときにのみ前記ミュート回路によって前記ビデオ信号又は／及び前記音声信号を消すようにしたことを特徴とするテレビジョン受信機。
【請求項２】
前記チューナ部は前記テレビジョン信号を検波して前記ビデオ信号及び前記音声信号を出力する検波器と、前記ビデオ信号からＡＧＣ電圧を生成するＡＧＣ電圧発生回路と、前記検波器に局部発振信号を供給する発振器と、前記発振器の発振周波数ズレに対応してＡＦＴ電圧を生成するＡＦＴ電圧発生回路とを設け、前記判別回路は前記ＡＧＣ電圧が入力されると共に、前記ＡＧＣ電圧が最大レベル以上のときにのみ論理レベル１を出力する第一の比較回路と、前記ＡＦＴ電圧が入力されると共に、前記ＡＦＴ電圧が最大レベル以上のときにのみ論理レベル１を出力する第二の比較回路と、前記第一及び第二の比較回路の出力の論理和を求めるＡＮＤ回路とで構成され、前記ＡＮＤ回路によって前記ミュート回路を制御したことを特徴とするテレビジョン受信機。
【考案の詳細な説明】
【０００１】
【考案の属する技術分野】
本考案は、テレビジョン信号が入力されないときにテレビ画面のビデオ信号を消したりテレビ音声信号を消すようにしたテレビジョン受信機に関する。
【０００２】
【従来の技術】
従来のテレビジョン受信機の要部の回路を図２に示す。チューナ部３１に入力されたテレビジョン信号（ＲＦ）はミキサ３１ａによって中間周波信号に変換され、中間周波信号はビデオ検波器３１ｂに入力される。ビデオ検波器３１ｂには発振器３１ｂから同期検波用の局部発振信号が入力される。そして、ビデオ検波器３１ｂからは同期信号を含むビデオ信号と音声信号とが出力される。ビデオ信号はイコライザアンプ３１ｄを経てチューナ部３１から出力される。
【０００３】
チューナ部３１から出力されたビデオ信号は画面切替回路３２の一方の入力端に入力されると共に、同期信号判別回路３３に入力される。同期信号判別回路３３はビデオ信号に含まれる同期信号の有無を判別する。一方、画面切替回路３２の他方の入力端にはブルーバック信号発生回路３４から出力されるブルーバック信号も入力される。ブルーバック信号はテレビ画面を青色に表示するための信号であり、チューナ部３１からビデオ信号が出力されないときにビデオ信号に代わって画面に出力される。そのため、同期信号判別回路３３が同期信号無しと判別したときには画面切替回路３２を制御してブルーバック信号を画面に出力するようにしている。この結果、画面に現れていたビデオ信号がミュートされ、変わりにブルーバック信号が現れるので見苦しいノイズが現れることはない。
【０００４】
【考案が解決しようとする課題】
上記構成において、チューナ部に入力されるテレビジョン信号のレベルが低い弱電界の時には、ビデオ信号中のノイズ成分レベルが大きくなり同期信号がノイズに埋もれる場合がある。その結果、まだ十分に観賞に堪え得る画面が得られるにも関わらず、同期信号判別回路が同期信号無しと判別して画面がミュートされてブルーバックに切り替えられてしまうことがあり、一般ユーザには不満が残るという問題があった。
【０００５】
本考案は、弱電界の時でもテレビジョン信号を受信中はテレビ画面やテレビ音声をミュートすることなく、テレビジョン信号が完全に入力されなくなった時にはじめてミュートを働かせてテレビ画面を消す、あるいはテレビ音声を消すようにすることを目的とする。
【０００６】
【課題を解決するための手段】
上記課題に対して、本考案では、入力されたテレビジョン信号を処理してビデオ信号及び音声信号を出力するチューナ部と、テレビ画面に現れる前記ビデオ信号又は／及びスピーカに出力される前記音声信号を消すミュート回路とを備え、前記チューナ部に前記テレビジョン信号が入力されているか否かを判別すると共に前記ミュート回路のミュート動作を制御する判別回路を設け、前記判別回路が前記テレビジョン信号の入力無しと判別したときにのみ前記ミュート回路によって前記ビデオ信号又は／及び前記音声信号を消すようにした。
【０００７】
また、前記チューナ部は前記テレビジョン信号を検波して前記ビデオ信号及び前記音声信号を出力する検波器と、前記ビデオ信号からＡＧＣ電圧を生成するＡＧＣ電圧発生回路と、前記検波器に局部発振信号を供給する発振器と、前記発振器の発振周波数ズレに対応してＡＦＴ電圧を生成するＡＦＴ電圧発生回路とを設け、前記判別回路は前記ＡＧＣ電圧が入力されると共に、前記ＡＧＣ電圧が最大レベル以上のときにのみ論理レベル１を出力する第一の比較回路と、前記ＡＦＴ電圧が入力されると共に、前記ＡＦＴ電圧が最大レベル以上のときにのみ論理レベル１を出力する第二の比較回路と、前記第一及び第二の比較回路の出力の論理和を求めるＡＮＤ回路とで構成され、前記ＡＮＤ回路によって前記ミュート回路を制御した。
【０００８】
【考案の実施の形態】
本考案のテレビジョン受信機を図１に従って説明する。チューナ部１に入力されたテレビジョン信号（ＲＦ）はミキサ１ａによって中間周波信号に変換され、中間周波信号は利得制御される中間周波増幅器１ｂによって所定レベルまで増幅された後に検波器１ｃに入力される。検波器１ｃには発振器１ｄから同期検波用の局部発振信号が入力される。そして、検波器１ｂからは同期信号を含むビデオ信号と音声信号とが出力される。ビデオ信号はイコライザアンプ１ｅを経てチューナ部１から出力される。
【０００９】
また、チューナ部１にはビデオ信号が入力されると共にＡＧＣ電圧を生成するＡＧＣ電圧発生回路４ｆと発振器１ｄの発振周波数の変動に対応してＡＦＴ電圧を出力するＡＦＴ電圧発生回路１ｇとが設けられている。ＡＧＣ電圧は検波器１ｃから出力されるビデオ信号のレベルに依存しておよそ１ボルトから４ボルトまでの範囲で変化するが、ビデオ信号のレベルが低いほど大きく（ＭＡＸ４ボルト）なる。
【００１０】
そして、このＡＧＣ電圧によって中間周波増幅器１ｂの利得が制御され、その出力レベルが一定となる。よって、チューナ部１にテレビジョン信号が入力されている時のＡＧＣ電圧はその最大レベル（４ボルト）以下の範囲で出力され、テレビジョン信号が入力されないと、即ちビデオ検波器１ｃに中間周波信号が入力されないと、最大レベル以上の電圧（例えばほぼ５ボルトの電源電圧）まで上昇する。
【００１１】
また、発振器１ｄは電圧制御発振器で構成され、中間周波信号が検波器１ｃに入力されている時には映像中間周波数と同じ周波数で発振するようにロックされており、その状態ではＡＦＴ電圧発生回路１ｇからは中心電圧２．５ボルトのＡＦＴ電圧が出力される。もし、発振周波数が映像中間周波数からずれると、そのズレを補正するようにＡＦＴ電圧は２．５ボルト以上又は以下に１ボルト〜４ボルトの範囲で変化し、その変化によって常に発振周波数が映像中間周波数に一致するように制御される。従って、中間周波信号がビデオ検波器１ｃに入力されないと、ＡＦＴ電圧がミュート電圧（例えばほぼ５ボルトの電源電圧）まで上昇する。そして、発振周波数は映像中間周波数とはかけ離れた周波数に変化することがある。
【００１２】
チューナ部１から出力されたビデオ信号及び音声信号はミュート回路２の一方の入力端に入力される。また、ミュート回路２の他方の入力端にはブルバック信号発生回路３から出力されるブルーバック信号が入力される。ブルーバック信号はテレビ画面を青色に表示するための信号であり、チューナ部１からビデオ信号が出力されないときにビデオ信号に代わって画面に出力されるものである。そして、ミュート回路２はビデオ信号又はブルーバック信号のいずれかを出力するように判別回路４によって制御される。
【００１３】
チューナ部１から出力されるＡＧＣ電圧とＡＦＴ電圧とはテレビジョン信号の有無を判別するための判別回路４に入力される。判別回路４は、ＡＧＣ電圧が最大レベル以上に上昇したときにのみ論理レベル１を出力する第一の比較回路４ａと、ＡＦＴ電圧が最大レベル以上に上昇したときにのみ論理レベル１を出力する第二の比較回路４ｂと、二つの比較回路４ａ、４ｂの論理和を演算すると共にその結果によって画面切替回路２を制御するＡＮＤ回路４ｃとを有する。
【００１４】
第一の比較回路４ａに入力されるＡＧＣ電圧はＡＧＣ電圧の変化範囲の最大レベル（４ボルト）と比較される。そして、最大レベルを越えれば出力論理レベルは１となる。また、第二の比較回路４ｂに入力されるＡＦＴ電圧もＡＦＴ電圧の最大レベル（４ボルト）と比較され、最大レベルを越えれば出力論理レベルが１となる。そして、画面切替回路２はＡＮＤ回路４ｃの出力論理レベルが０の時はチューナ部１から入力されているビデオ信号を後段の映像回路等に出力し、出力論理レベルが１となれば、ブルーバック信号発生器３から入力されたいるブルーバック信号を後段の映像回路等に出力するように制御される。
【００１５】
以上の構成において、チューナ部１にテレビジョン信号が入力されていれば、検波器１ｃには中間周波信号が入力され、それによってＡＧＣ電圧発生回路１ｆから正常な変化範囲のＡＧＣ電圧が出力されるがその値は最大レベル以下となる。また、ＡＦＴ電圧発生回路は中心電圧２．５ボルトを出力する。よって、ＡＮＤ回路４ｃの出力は論理レベル０となる。これによって、画面切替回路２はチューナ部１からのビデオ信号を後段の映像回路等に出力し、弱電界の状態であってもテレビ画面には受信したテレビジョン信号の映像が出力される。
【００１６】
一方、チューナ部１にテレビジョン信号が入力されないと、ＡＧＣ電圧発生回路１ｆは正常なＡＧＣ電圧の最大値を越える電圧を発生すると共に、ＡＦＴ電圧発生回路１ｇも最大の４ボルトを越える電圧を発生し、これによってＡＮＤ回路４ｃの出力は論理レベル１となる。この結果、画面切替回路２はビデオ信号に変わってブルーバック信号を後段の映像回路等に出力し、テレビ画面は青色一色に切り替えられる。
【００１７】
本考案では、ＡＧＣ電圧とＡＦＴ電圧とを判別回路４に入力し、それらの電圧によってテレビジョン信号の有無を判別しているので、ビデオ信号に含まれるノイズに左右されずにテレビジョン信号の有無を判別できる。
なお、以上までは、主としてビデオ信号のミュートについて説明したが、これを音声信号に対して適用することもできる。その場合は、ミュート回路によって音声信号を大きく減衰することでスピーカに出力しないようにする。
【００１８】
【考案の効果】
以上説明したように、本考案では、チューナ部にテレビジョン信号が入力されているか否かを判別すると共にミュート回路のミュート動作を制御する判別回路を設け、判別回路がテレビジョン信号の入力無しと判別したときにのみミュート回路によってビデオ信号又は／及び音声信号を消すようにしたので、テレビジョン信号が入力されていれば弱電界の受信状態であってもビデオ信号に含まれるノイズに左右されずにテレビジョン信号を画面に表示し、音声を出力できる。
【００１９】
また、判別回路はＡＧＣ電圧が入力され、ＡＧＣ電圧が最大レベル以上のときにのみ論理レベル１を出力する第一の比較回路と、ＡＦＴ電圧が入力され、ＡＦＴ電圧が最大レベル以上のときにのみ論理レベル１を出力する第二の比較回路と、第一及び第二の比較回路の出力の論理和を求めるＡＮＤ回路とで構成され、ＡＮＤ回路によって画面切替回路を制御したので、ＡＧＣ電圧及びＡＦＴ電圧がそれぞれ最大レベル以上になることで、テレビジョン信号が入力されていないことを確実に判別できる。
【図面の簡単な説明】
【図１】本考案のテレビジョン受信機の要部の回路図である。
【図２】従来のテレビジョン受信機の要部の回路図である。
【符号の説明】
１　チューナ部
１ａ　ミキサ
１ｂ　中間周波増幅器
１ｃ　ビデオ検波器
１ｄ　発振器
１ｅ　イコライザアンプ
１ｆ　ＡＧＣ電圧発生回路
１ｇ　ＡＦＴ電圧発生回路
２　ミュート回路
３　ブルーバック信号発生回路
４　判別回路
４ａ　第一の比較回路
４ｂ　第二の比較回路
４ｃ　ＡＮＤ回路
【図１】
0003098063.tif 000003
【図２】
0003098063.tif 000004
【手続補正書】
【提出日】平成15年6月24日(2003.6.24)
【手続補正１】
【補正対象書類名】明細書
【補正対象項目名】実用新案登録請求の範囲
【補正方法】変更
【補正の内容】
【実用新案登録請求の範囲】
【請求項１】
入力されたテレビジョン信号を処理してビデオ信号及び音声信号を出力するチューナ部と、テレビ画面に現れる前記ビデオ信号又は／及びスピーカに出力される前記音声信号を消すミュート回路とを備え、前記チューナ部に前記テレビジョン信号が入力されているか否かを判別すると共に前記ミュート回路のミュート動作を制御する判別回路を設け、前記判別回路が前記テレビジョン信号の入力無しと判別したときにのみ前記ミュート回路によって前記ビデオ信号又は／及び前記音声信号を消すようにしたことを特徴とするテレビジョン受信機。
【請求項２】
前記チューナ部は前記テレビジョン信号を検波して前記ビデオ信号及び前記音声信号を出力する検波器と、前記ビデオ信号からＡＧＣ電圧を生成するＡＧＣ電圧発生回路と、前記検波器に局部発振信号を供給する発振器と、前記発振器の発振周波数ズレに対応してＡＦＴ電圧を生成するＡＦＴ電圧発生回路とを設け、前記判別回路は前記ＡＧＣ電圧が入力されると共に、前記ＡＧＣ電圧が最大レベル以上のときにのみ論理レベル１を出力する第一の比較回路と、前記ＡＦＴ電圧が入力されると共に、前記ＡＦＴ電圧が最大レベル以上のときにのみ論理レベル１を出力する第二の比較回路と、前記第一及び第二の比較回路の出力の論理和を求めるＡＮＤ回路とで構成され、前記ＡＮＤ回路によって前記ミュート回路を制御したことを特徴とする請求項１に記載のテレビジョン受信機。